(57)【要約】【課題】仕掛糸が絡むのを防止しながらも、容易に仕掛糸を投入することができる釣り用仕掛け整理具を提供する。【解決手段】仕掛け整理具１０は、長板状に形成された基板１２と、基板１２とほぼ同一形状に形成され、基板１２と重ね合わせた状態で一方側の短辺を固定するか支持した上板１４とを有する。上板１４と基板１２との間に生じる隙間に仕掛糸１８を入れ、上板１４自体の重みで仕掛糸１８を保持する。生じた隙間に仕掛糸１８を入れるだけでよいので、短時間で行えて手間も掛からない。また、一度に保持できる仕掛糸１８の数には制限されないので、仕掛糸１８同士が絡むのを防止しながら、仕掛糸１８の数にかかわらず保持（収納）できる。一方、保持された仕掛糸１８は先に投入するオモリの落下力により、または上板１４を撓ませるだけで解放されるので、容易に漁場（海や川等）に投入できる。【選択図】図１
2008306992.tif 000002
【特許請求の範囲】
【請求項１】
長板状に形成された基板と、
前記基板とほぼ同一形状に形成され、前記基板と重ね合わせた状態で一方側の短辺を固定するか支持した上板とを有し、
前記上板と前記基板との間に生じる隙間に仕掛糸を入れ、前記上板自体の重みで前記仕掛糸を保持する釣り用仕掛け整理具。
【請求項２】
請求項１に記載した釣り用仕掛け整理具であって、
前記上板の重みを変化させることにより、仕掛糸を保持する力を調整するための錘を容易に変換できる仕掛けを有する釣り用仕掛け整理具。
【請求項３】
請求項１または２に記載した釣り用仕掛け整理具であって、
上板には、他方側の短辺であって基板と対向する面にテーパ面を有する釣り用仕掛け整理具。
【請求項４】
請求項１、２または３に記載した釣り用仕掛け整理具であって、
上板には、仕掛糸の釣り針を一時的に吸着させる磁石を有する釣り用仕掛け整理具。
【請求項５】
請求項１から４のいずれか一項に記載した釣り用仕掛け整理具であって、
基板および上板について重ね合わせる際に対向する対向面の少なくとも一方には、仕掛糸が横滑りするのを防止する滑り止め手段を有する釣り用仕掛け整理具。
【発明の詳細な説明】
【技術分野】
【０００１】
本発明は、仕掛糸（釣り糸を含む。以下同様とする。）が絡むのを防止しながらも、容易に仕掛糸を投入することができる釣り用仕掛け整理具に関する。
【背景技術】
【０００２】
従来では、仕掛糸を上方から差し込んで保持する複数の切り込み部（３）を仕掛糸固定台（２）に設け、この仕掛糸固定台（２）を支持基板（１）の上面に固着させた船釣り用仕掛固定具が開示されている（例えば特許文献１を参照）。
【特許文献１】特開２００４−３２９１９８号公報
【発明の開示】
【発明が解決しようとする課題】
【０００３】
上述した船釣り用仕掛固定具では、切り込み部（３）に仕掛糸を差し込む必要がある。切り込み部（３）は外観が細い線でしかなく、実際には仕掛糸固定台（２）の色と同じであるので見つけ難く、時間が掛かっていた。仮に見つけられたとしてもテーパ等が施されていないために仕掛糸を切り込み部（３）に差し込むのに手間が掛かっていた。
また、切り込み部（３）の数は一定であり、仕掛糸の数よりも少ない場合、保持できない仕掛糸を手で持つか、一の切り込み部（３）に二以上の仕掛糸を差し込む等で対応せざるを得ない。仕掛糸を手で持てば手に自由が無くなり、二以上の仕掛糸を差し込めばこれらの仕掛糸が絡む可能性があった。
【０００４】
本発明はこのような点に鑑みてなしたものであり、短時間で保持できて手間も掛からず、しかも仕掛糸の数にかかわらず全ての仕掛糸を保持（整理）できる釣り用仕掛け整理具を提供することを目的とする。
【課題を解決するための手段】
【０００５】
（１）課題を解決するための手段（以下では単に「解決手段」と呼ぶ。）１は、釣り用仕掛け整理具であって、長板状に形成された基板と、前記基板とほぼ同一形状に形成され、前記基板と重ね合わせた状態で一方側の短辺を固定するか支持した上板とを有し、前記上板と前記基板との間に生じる隙間に仕掛糸を入れ、前記上板の重みで前記仕掛糸を保持することを要旨とする。
【０００６】
解決手段１によれば、上板と基板との間に生じる隙間に仕掛糸を入れるだけでよいので、短時間で行えて手間も掛からない。また、一度に保持できる仕掛糸の数には制限されないので、仕掛糸同士が絡むのを防止しながら、仕掛糸の数にかかわらず保持（整理）できる。一方、保持された仕掛糸は先に投入するオモリの落下力により、または上板を撓ませるだけで解放されるので、容易に漁場（海や川等）に投入できる。
【０００７】
（２）解決手段２は、解決手段１に記載した釣り用仕掛け整理具であって、前記上板の重みを変化させることにより、仕掛糸を保持する力を調整するための錘を容易に変換できる仕掛けを有することを要旨とする。
【０００８】
解決手段２によれば、仕掛糸の太さなどにより必要とされる保持力の強さの変化させるため上板の重みを容易に変えられる。この器具に取り付ける釣用の錘の号数（重さ）を適宜取り替えることにより保持力を自由かつ簡単に調整することができる。
【０００９】
（３）解決手段３は、解決手段１または２に記載した釣り用仕掛け整理具であって、上板には、他方側の短辺であって基板と対向する面にテーパ面を有することを要旨とする。
【００１０】
解決手段３によれば、上板にテーパ面を設けることにより仕掛糸を容易に基板と上板の間の隙間に導くことができ仕掛糸の保持が容易に行える。
【００１１】
（４）解決手段４は、解決手段１、２または３に記載した釣り用仕掛け整理具であって、上板には、仕掛糸の釣り針を一時的に吸着させる磁石を有することを要旨とする。
【００１２】
解決手段４によれば、仕掛糸を基板と上板との間に保持する前に、一時的に仕掛糸の釣り針を磁石に吸着させることができる。そのため、ばらついている釣り針を一度に集めたうえで保持が行えるので、より手間を省くことができる。
【００１３】
（５）解決手段５は、解決手段１から４のいずれか一項に記載した釣り用仕掛け整理具であって、基板および上板について重ね合わせる際に対向する対向面の少なくとも一方には、仕掛糸が横滑りするのを防止する滑り止め手段を有することを要旨とする。
【００１４】
解決手段５によれば、基板と上板とで挟んで仕掛糸を保持するが、対向面の少なくとも一方に設けられた滑り止め手段（例えばゴム部材や凹凸等）によって仕掛糸が落下または横滑りするのを防止できる。したがって、保持後に行う餌付け等がやり易くなる。
【発明の効果】
【００１５】
本発明によれば、短時間で保持できて手間も掛からず、しかも仕掛糸の数にかかわらず全ての仕掛糸を保持（整理）することができる。
【発明を実施するための最良の形態】
【００１６】
本発明を実施するための最良の形態について、図１〜図４を参照しながら説明する。図１には仕掛け整理具の構成例を斜視図で表す。図２には基板の構造例を平面図で表す。図３には仕掛糸を保持する様子を表す。図４には使用例を斜視図で表す。
【００１７】
図１に表す仕掛け整理具１０は船釣り用として用いられる整理具であって、基板１２と上板１４とを有する。基板１２と上板１４はほぼ同一形状に形成され、図示するように重ね合わせた状態で一方側の短辺（本例では右側端部）を固定する。固定方法は任意であって、ロッドキーパーやボルト等の締結部材を用いて固定したり、両面接着テープ等を用いて固定する。
基板１２と上板１４の材質は任意であって、例えば合成樹脂（ゴム，プラスチック，ウレタン等），木材，金属（アルミや合金等）などが該当する。本例ではゴムで形成しているが、海や川等で使用する機会が多いので海水や水に対して耐候性や耐腐食性が高い材質であるのが望ましい。また、構造についても任意である。例えば図２に表すように、中央部から固定側よりに設けた長板状のプラスチック部１２ｂと、当該プラスチック部１２ｂを取り囲むゴム部１２ａとで構成する。
【００１８】
図１に戻って、上板１４の上面側に上板１４の重みを調整するために錘２５の取替えを行う器具を装着する。この器具は、例えば図１に表すようなスナップ付きのスイベル２３であり、予め上板１４に固定しておく。スナップ付きスイベル２３のスナップは弾性力によって通常状態で閉じており、弾性力に抗して開けることで錘２５を容易に出し入れして交換することができる。錘２５については、仕掛糸に対する保持力は上板１４の重みにより変化するため、仕掛けの太さ等物性の違いにより適切な保持力を得るためには適切な重みを選定する必要がある。この重みを得るには一般的に海釣り（竿）に用いられている錘２５を使用するが、スナップ付きスイベル２３を装着することにより錘２５の交換がワンタッチで行える。
【００１９】
上板１４には他方側の短辺（本例では右側端部）であって基板１２と対向する面にテーパ面２０を備えている。テーパ面２０を設けたことにより、上板１４に対向する基板１２側の面との間の空間Ｇに容易に仕掛糸を導くことができる。
また上板１４の上面側に磁石１６を備える。磁石１６の装備法は任意であって、両面接着テープなどを用いて取り付けてもよく、ネジ等の締結部材を用いて固定してもよい。基板１２と上板１４とで挟んで保持する前において、仕掛糸１８に付けられている釣り針２２を磁石１６に一時的に吸着させることが可能になる。図示するように、仕掛糸１８の先端部にはオモリ（錘）３０を取り付けている。
【００２０】
上述のように構成した仕掛け整理具１０を用いて、仕掛糸１８を一時的に保持する例について図３を参照しながら説明する。図３（Ａ）に表すように、巻き戻した複数本に枝分かれした仕掛糸１８がばらつかないように、テーパ面２０を通じて基板１２と上板１４の間に順次矢印Ｄ４方向に移動させる。移動された仕掛け糸１８は上板１４の重みで保持される。釣り針２２の本数が多いなど絡む恐れがあるときは釣り針２２を磁石１６に吸着させる。
【００２１】
図４に表す例では、まず船の一部を構成する船縁２６に対して、仕掛け整理具１０と、ロッドキーパー等の竿固定具２８とを予め固定しておく。本例では合わせて船縁２６に固定しているが、仕掛け整理具１０を両面接着テープなどで別個に固定してもよい。そして、海中から仕掛けを巻き上げるに際しては釣り竿２４を竿固定具２８に固定した後、上述した通りに複数本の仕掛糸１８を基板１２と上板１４の間に入れて保持する。
仕掛けのオモリ３０は船中に取り込むかそのまま海中に置くかは釣り人の判断によるが、本釣り用仕掛け整理具の保持力が十分大きいときはそのまま海中または空中においても良い。保持力が小さいときにそのまま海中または空中に置くときはオモリ３０の上部の糸を上板１４のテーパー側に一回巻きつけると仕掛けが安定する。このように、簡単な操作で素早く仕掛糸１８を保持させることができる。保持した後は、釣り針２２への餌付け等を行える。その後、保持された仕掛糸１８は仕掛けのオモリ３０を海中に投入するか上板１４を撓めるだけで解放されるので、容易に漁場（海や川等）に投入できる。
【００２２】
上述した実施の形態によれば、以下に表す各効果を得ることができる。
（１）上板１４と基板１２との間に生じる隙間に仕掛糸１８を入れるだけでよいので、短時間で行えて手間も掛からない。また、一度に保持できる仕掛糸１８の数には制限されないので、仕掛糸１８同士が絡むのを防止しながら、仕掛糸１８の数にかかわらず保持（整理）できる。一方、保持された仕掛糸１８はオモリ３０を海中に投入するか上板１４を撓ませるだけで解放されるので、容易に漁場（海や川等）に投入できる。
【００２３】
（２）基板１２と上板１４とで対向する面のうちで基板１２側の面とテーパ面２０とにできる空間Ｇを通じて、基板１２と上板１４との間に仕掛糸１８を導くことで仕掛糸１８の保持が容易に行える。なお、上板１４を撓ませることなく、基板１２と上板１４との間に仕掛糸１８を保持することが可能である。
【００２４】
（３）上板１４にスナップ付きのスイベル２３（錘交換用器具）を装備したため、錘２５の交換により必要とする保持力を容易に調節できる。なお、錘交換用器具はスナップ付きのスイベル２３に限らず、クリップ等のように錘２５をワンタッチで交換可能な器具を適用してもよい。
【００２５】
（４）上板１４には磁石１６を備えたので、一時的に仕掛糸１８の釣り針２２を磁石１６に吸着させることができる。そのため、ばらついている釣り針２２を一度に集めたうえで保持が行えるので効率が良く、より手間を省くことができる。
【００２６】
（５）基板１２や上板１４は、滑り止め手段としてのゴムで形成した。基板１２と上板１４とで挟んで仕掛糸１８を保持するが、滑り止め手段（例えば図２に表すゴム部１２ａ）によって仕掛糸１８が縦または横に滑るのを防止できる。したがって、保持後に行う餌付け等がやり易くなる。
【００２７】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することもできる。例えば、次に示す各形態を実現してもよい。
【００２８】
（１）上述した実施の形態では、基板１２は長板状のプラスチック部１２ｂとこれを取り囲むゴム部１２ａとで構成した（図２を参照）。この構成を上板１４にも適用してよい。また、この構成に代えて、図５に表すような二枚合わせの構造としてもよい。すなわち、平面形状をほぼ同一に形成し、厚み方向で重ね合わせる構造とする。基板１２はゴム部１２ａとプラスチック部１２ｂとからなり、上板１４はゴム部１４ａとプラスチック部１４ｂとからなる。ゴム部はゴムで形成された長板であり、プラスチック部はプラスチックで形成された長板である。このうち、ゴム部１４ａは基板１２と上板１４が対向する面であって上板１４側に配置する。この配置によってゴム部１４ａが滑り止め手段の役割を果たすので、仕掛糸１８が縦または横に滑るのを防止でき、保持後に行う餌付け等がやり易くなる。また、ゴム部１２ａは上板１４と対向しない面に備えたので、図４に表す船縁２６等に設置した際に仕掛け整理具１０がずれ動くのを防止する。
【００２９】
（２）上述した実施の形態では、曲げやすい板材（例えばゴム板等）で上板１４を構成した（図３を参照）。この形態に代えて、曲げにくい板材（例えばプラスチック板や金属板等）によって上板１４を構成してもよい。
【００３０】
例えば図６（Ａ）に表すように、基板１２と重ね合わせた状態で一方側の短辺（本例では右側端部）を蝶番３２等のような連結部材を用いて固定（連結）する。この状態で基板１２と上板１４との間に仕掛糸１８を導くと、仕掛糸１８の保持が容易に行える。また、図６（Ａ）に表す上板１４を回動して上方向（矢印Ｄ６方向）に持ち上げれば、図６（Ｂ）のようになる。この状態では、基板１２と上板１４との間に仕掛糸１８を入れることができる。これに対して図６（Ｂ）に表す上板１４を回動して下方向（矢印Ｄ８方向）に戻せば、図６（Ａ）のように戻る。こうして仕掛け整理具１０を構成する部材の材質に関わらず、仕掛糸１８を確実に保持することができる。したがって、上述した実施の形態と同様の作用効果が得られる。
【００３１】
（３）上述した実施の形態では曲げやすい板材（例えばゴム板等）で上板１４を構成し、上記形態（２）では曲げにくい板材（例えばプラスチック板や金属板等）で上板１４を構成した。これらの形態に代えて、曲げ易さにかかわらず蛇腹状に構成した上板１４を用いてもよい。図７（Ａ）には、上板１４を蛇腹状に構成した例を表す。上板１４は複数（本例では六つ）の小片を連結して構成するが、各小片の長さ（すなわち上板１４の長手方向にかかる長さ）は均一または不均一のいずれでもよい。この状態で基板１２と上板１４との間に仕掛糸１８を導くと、仕掛糸１８の保持が容易に行える。
【００３２】
図７（Ａ）において上板１４を上方向（矢印Ｄ１０方向）に持ち上げれば、図７（Ｂ）のようになる。この状態では、基板１２と上板１４との間に仕掛糸１８を入れることができる。これに対して図７（Ｂ）において上板１４を下方向（矢印Ｄ１２方向）に戻せば、図７（Ａ）のように戻る。こうして仕掛け整理具１０を構成する部材の材質に関わらず、仕掛糸１８を確実に保持することができる。したがって、上述した実施の形態と同様の作用効果が得られる。また、持ち上げ位置に応じて、基板１２に面接触する小片の数が変化する。そこで、仕掛糸１８を入れる都度に持ち上げ位置を少しずつ下げてゆけば、面接触する小片による保持と、仕掛糸１８の導入とを並行して行うことができる。
【００３３】
（４）上述した実施の形態では、釣り針２２を一時的に吸着させるために上板１４の上面側に磁石１６を備えた（図１等を参照）。この形態に代えて、仕掛糸１８や釣り針２２を一時的に吸着させ得る他の部材を備える構成としてもよい。他の部材としては、針金やプラスチック等で形成したクリップや、再剥離可能な接着剤の一種である粘着剤などが該当する。これらの他の部材を用いた場合でも、仕掛糸１８や釣り針２２を一時的に吸着させることができる。
【００３４】
（５）基板１２の裏面（下面）には、設置場所（例えば図４に表す船縁２６等）に設置する際に仕掛け整理具１０を固定するための固定手段を備えるのが望ましい。固定手段は、例えば設置場所が金属材料で形成されていれば磁石を適用でき、平坦面に形成されていれば粘着剤，吸盤，両面接着テープ等を適用できる。当該固定手段によれば仕掛け整理具１０を簡単に素早く設置でき、しかも仕掛糸１８を確実に素早く保持することができる。
【図面の簡単な説明】
【００３５】
【図１】仕掛け整理具の構成例を表す斜視図である。
【図２】基板の構造例を表す平面図である。
【図３】仕掛糸を保持する手順を説明する図である。
【図４】仕掛け整理具の一使用例を表す斜視図である。
【図５】基板および上板の構成例を表す側面図である。
【図６】曲げにくい板材で構成した例を表す斜視図である。
【図７】蛇腹状に形成した上板で構成した例を表す斜視図である。
【符号の説明】
【００３６】
１０  仕掛け整理具
１２  基板
１２ａ，１４ａ  ゴム部
１２ｂ，１４ｂ  プラスチック部
１４  上板
１６  磁石（吸着手段）
１８  仕掛糸
２０  テーパ面
２２  釣り針
２３  スナップ付きのスイベル（錘交換用器具）
２４  釣り竿
２５  錘
２６  船縁
２８  竿固定具
３０  オモリ
３２  蝶番
【図１】
2008306992.tif 000003
【図２】
2008306992.tif 000004
【図３】
2008306992.tif 000005
【図４】
2008306992.tif 000006
【図５】
2008306992.tif 000007
【図６】
2008306992.tif 000008
【図７】
2008306992.tif 000009